(57)【要約】【課題】一瞬の画像揺れの発生も抑え、画像揺れの防止精度の向上を図れる画像揺れ防止装置を備えたテレビジョン受像機を提供する。【解決手段】音声出力によりシャドウマスクが振動した場合、振動検出素子２の出力信号は検出回路３で検出され、この検出信号は比較回路４において、検出信号の電圧値と基準電圧値とが比較され、検出信号の電圧値が基準電圧値に達した時に、低音音量制御信号が出力される。その低音音量制御信号は音量・音質制御回路５に入力されて音声出力の低音を下げる。この結果、シャドウマスクの振動を抑制することができ、一瞬の画像揺れの発生も抑え、画像揺れを精度良く防止することができる。【選択図】      図１
2005012618.tif 000002
【特許請求の範囲】
【請求項１】
ブラウン管を、該ブラウン管のシャドウマスクの所定箇所に振動検出素子を設けると共に、前記振動検出素子の端子をリード線を介して該ブラウン管の所定のネックピンに接続した構成とし、前記シャドウマスクが音声出力により振動して画像揺れが発生した時の前記振動検出素子に基づく検出信号の電圧値よりも小さく且つ前記検出信号の電圧値に極力近い電圧値を基準電圧値として設定し、前記ネックピンから出力された前記振動検出素子の出力信号を検出する検出手段と、この検出手段からの検出信号の電圧値と前記基準電圧値とを比較し前記検出信号の電圧値が前記基準電圧値に達した時に音量・音質制御回路に対して低音域の音量を下げるための低音音量制御信号を出力する比較手段とを有する画像揺れ防止装置を備えことを特徴とするテレビジョン受像機。
【請求項２】
ブラウン管におけるシャドウマスクの所定箇所に振動検出素子を設け、前記振動検出素子の出力信号に基づく検出信号の電圧値が予め定めた基準電圧値に達した時に音声出力を下げる制御を行い、画像揺れを防止する画像揺れ防止装置を備えたことを特徴とするテレビジョン受像機。
【請求項３】
前記画像揺れ防止装置は、ブラウン管を、該ブラウン管のシャドウマスクの所定箇所に振動検出素子を設けると共に、前記振動検出素子の端子をリード線を介して該ブラウン管の所定のネックピンに接続した構成とし、前記ネックピンから出力された前記振動検出素子の出力信号を検出する検出手段と、この検出手段からの検出信号の電圧値と前記基準電圧値とを比較し前記検出信号の電圧値が予め定めた基準電圧値に達した時に音量・音質制御回路に対して低音域の音量を下げるための低音音量制御信号を出力する比較手段とを有することを特徴とする請求項２に記載のテレビジョン受像機。
【請求項４】
前記基準電圧値は、前記シャドウマスクが音声出力により振動して画像揺れが発生した時の前記振動検出素子に基づく検出信号の電圧値よりも小さく且つ前記検出信号の電圧値に極力近い電圧値であることを特徴とする請求項２または請求項３に記載のテレビジョン受像機。
【発明の詳細な説明】
【０００１】
【発明の属する技術分野】
本発明は、音声出力による画像揺れを防止するための画像揺れ防止装置を備えたテレビジョン受像機に関する。
【０００２】
【従来の技術】
従来から、テレビジョン受像機は、大きく分けて、画像を表示するブラウン管と、音声を出力するスピーカと、テレビジョン放送信号を受信して画像信号および音声信号を作成して前記ブラウン管に画像信号を供給すると共に前記スピーカに音声信号を供給する回路基板とから構成されている。スピーカをテレビジョン受像機の筐体に固定する場合、音声出力によるスピーカからの振動が筐体やブラウン管などに極力伝播されないように、スピーカと筐体との間に振動を抑えるための制振材料を介在させている。
【０００３】
【特許文献１】
特開平５−１６１０９０号公報
【特許文献２】
特開２０００−３４１６０６号公報
【０００４】
【発明が解決しようとする課題】
このような構成のテレビジョン受像機において、スピーカから発生する音およびスピーカ本体の振動が筐体に伝播し、更にブラウン管に伝播することで、ブラウン管内部のシャドウマスクを振動させ、この結果、画像揺れが生じ、画質を著しく低下させるという課題があった。
【０００５】
そこで、例えば特許文献１に記載のテレビジョン受像機の音声増幅回路では、音声出力回路からの音声出力を検出する手段と、その検出音声出力に応じて、音量・音質コントロール回路のバスコントロール端子に負帰還をかけて低減の最大音量を制御する手段とを備え、スピーカからの音声出力が非常に大きい場合に発生するブラウン管のシャドウマスクの振動による画像の揺れを防止している。しかしながら、この音声増幅回路では、検出音声出力に応じて音量・音質コントローラに負帰還をかけて音声出力を抑制しているので、画像が一瞬揺れる場合もあり得る。即ち、負帰還をかけられた音量・音質コントロール回路は、厳密に言うと、応答するまでの時間遅れが生じ、この結果、瞬間的に大きな音声が出力された後に音声出力を低減するので、シャドウマスクの瞬間的な振動による一瞬の画像揺れが発生することも考えられ、画像揺れの防止精度が劣るという課題が生じる。
【０００６】
また、特許文献２に記載のテレビジョン受像機では、筐体に伝播される振動波形を検出し、検出した振動波形と逆位相の波形の音で前記筐体を加振することで前記筐体に伝播される振動を防止するようにしているが、前記検出した振動波形の音に対して逆位相の波形の音を作り出すのに時間遅れが生じることになり、これにより、前記検出した振動波形の音と前記逆位相の波形の音とは正確には相殺されず、前記逆位相の波形の音が音声出力に加わって音声の品質が低下することにもなり得る。また、逆位相の波形の音が作成されて出力されるまでは、前記時間遅れの理由により、前記検出した振動波形の音が瞬間的に出力されるので、シャドウマスクを瞬間的に振動させ、一瞬の画像揺れが起こり得ると言う課題が生じる。
【０００７】
本発明は、上記のような課題を解決するためになされたもので、一瞬の画像揺れの発生も抑え、画像揺れの防止精度の向上を図れる画像揺れ防止装置を備えたテレビジョン受像機を提供することを目的とする。
【０００８】
【課題を解決するための手段】
上記目的を達成するために、請求項１の発明は、ブラウン管を、該ブラウン管のシャドウマスクの所定箇所に振動検出素子を設けると共に、前記振動検出素子の端子をリード線を介して該ブラウン管の所定のネックピンに接続した構成とし、前記シャドウマスクが音声出力により振動して画像揺れが発生した時の前記振動検出素子に基づく検出信号の電圧値よりも小さく且つ前記検出信号の電圧値に極力近い電圧値を基準電圧値として設定し、前記ネックピンから出力された前記振動検出素子の出力信号を検出する検出手段と、この検出手段からの検出信号の電圧値と前記基準電圧値とを比較し前記検出信号の電圧値が前記基準電圧値に達した時に音量・音質制御回路に対して低音域の音量を下げるための低音音量制御信号を出力する比較手段とを有する画像揺れ防止装置を備えことを特徴とするテレビジョン受像機を提供する。
【０００９】
この構成において、音声出力によりシャドウマスクが振動した場合、振動検出素子の出力信号は検出手段で検出され、この検出信号は比較手段に入力される。比較手段では、検出手段からの検出信号の電圧値が基準電圧値と比較され、検出信号の電圧値が基準電圧値に達した時に、低音音量制御信号が出力される。そして、その低音音量制御信号は音量・音質制御回路に入力され、これにより音量・音質制御回路は音声出力の低音域の音量（低音）を下げる。
【００１０】
この結果、シャドウマスクの振動を抑制することができ、ブラウン管に表示される画像揺れを防止することができる。しかも、シャドウマスクが音声出力により振動して画像揺れが発生した時の振動検出素子に基づく検出信号の電圧値よりも小さく且つ前記検出信号の電圧値に極力近い電圧値を前記基準電圧値として設定しているので、前記検出信号の電圧値が基準電圧値に達した時点では、シャドウマスクは振動しているが、ブラウン管の画像揺れが生じるまでの振動には達していないことにより、画像揺れが発生しようとする瞬間的な直前に、画像揺れを防止できる。また、前記検出信号の電圧値に極力近い電圧値を前記基準電圧値として設定していることにより、画像揺れが起きないシャドウマスクの振動に対しては低音は抑制されることはないので、音声出力の音量および音質が損なわれることがない。
【００１１】
したがって、この構成によれば、シャドウマスクの振動を直接取り出し、ブラウン管の画像揺れが発生する直前に低音を抑制するので、一瞬の画像揺れの発生も抑えることができ、これにより、画像揺れの防止精度が向上する。
【００１２】
請求項２の発明は、ブラウン管におけるシャドウマスクの所定箇所に振動検出素子を設け、前記振動検出素子の出力信号に基づく検出信号の電圧値が予め定めた基準電圧値に達した時に音声出力を下げる制御を行い、画像揺れを防止する画像揺れ防止装置を備えたことを特徴とするテレビジョン受像機を提供する。
【００１３】
この構成において、音声出力によりシャドウマスクが振動した場合、振動検出素子の出力信号に基づく検出信号の電圧値が基準電圧値に達した時、音声出力が下げられる。この結果、シャドウマスクの振動を抑制することができ、ブラウン管に表示される画像揺れを防止することができる。
【００１４】
したがって、この構成によれば、シャドウマスクの振動を直接取り出し、ブラウン管の画像揺れが発生する直前に音声出力を抑制することが可能となり、一瞬の画像揺れの発生も抑えることができ、これにより、画像揺れの防止精度が向上する。
【００１５】
請求項３の発明においては、前記画像揺れ防止装置は、ブラウン管を、該ブラウン管のシャドウマスクの所定箇所に振動検出素子を設けると共に、前記振動検出素子の端子をリード線を介して該ブラウン管の所定のネックピンに接続した構成とし、前記ネックピンから出力された前記振動検出素子の出力信号を検出する検出手段と、この検出手段からの検出信号の電圧値と前記基準電圧値とを比較し前記検出信号の電圧値が予め定めた基準電圧値に達した時に音量・音質制御回路に対して低音域の音量を下げるための低音音量制御信号を出力する比較手段とを有する。
【００１６】
この構成の画像揺れ防止装置により、シャドウマスクの振動を直接取り出し、ブラウン管の画像揺れが発生する直前に低音を抑制することが可能になり、一瞬の画像揺れの発生も抑えることができることになる。
【００１７】
請求項４の発明においては、前記基準電圧値は、シャドウマスクが音声出力により振動して画像揺れが発生した時の振動検出素子に基づく検出信号の電圧値よりも小さく且つ前記検出信号の電圧値に極力近い電圧値である。
【００１８】
前記基準電圧値を用いることにより、画像揺れが発生しようとする瞬間的な直前に、低音を抑制することが可能になり、一瞬の画像揺れの発生も防止できることになる。また、前記検出信号の電圧値に極力近い電圧値を前記基準電圧値として設定していることにより、画像揺れが起きないシャドウマスクの振動に対しては低音は抑制されることはないので、音声出力の音量および音質が損なわれることがない。
【００１９】
【発明の実施の形態】
以下、添付図面を参照しつつ、本発明の実施の形態について説明する。図１は本発明の一実施形態に係るテレビジョン受像機に設けられた画像揺れ防止装置の構成を含むブロック図である。図２は本発明の一実施形態に係るテレビジョン受像機に備えられるブラウン管の概略構成図である。図３は前記ブラウン管に備えられているシャドウマスクの構成図である。図４は前記シャドウマスクの一部の拡大図である。
【００２０】
先ず図２において、ブラウン管２０は、前面パネル２１、この前面パネル２１の内側に設けられた３色蛍光膜２２、この３色蛍光膜２２の内側に配置されたシャドウマスク２３、前面パネル２１が接合部２６で接合されたファンネル２７、偏向コイル２８、コンバーゼンスおよびピューリティマグネット２９、ネック３０、このネック３０内に設けられた３電子銃３１、ネック３０の端部に設けられた口金３２、および口金３２を介して外部に突出した電極としての複数のネックピン３３を備えている。
【００２１】
更に、このブラウン管２０におけるシャドウマスク２３のフレーム２４の所定箇所、例えば図３に示すようにフレーム２４の下辺中央付近（なお、この箇所に限ることはない）には、振動検出素子２が取り付けられている。この振動検出素子２の両端子のうちの一方端子はリード線（２本線）３４のうちの一方の線を介して例えば複数のネックピン３３のうちで空きピンとなるネックピン３３ａに接続される。このネックピン３３ａは、通常ブラウン管２０の接地用のネックピンが２本あるうちの１本を用いたものであるので、新たにネックピンを設ける必要がない。振動検出素子２の他方端子はリード線（２本線）３４のうちの他方の線を介して複数のネックピン３３のうちの接地用のネックピン（図示せず）に接続される。なお、図２では、リード線３４は１本線で示しているが、実際はリード線３４は互いに電気的に絶縁された２本線である。
【００２２】
次に図１において、画像揺れ防止装置１は、シャドウマスク２３が音声出力により振動して画像揺れが発生した時の振動検出素子２に基づく検出信号の電圧値よりも小さく且つ前記検出信号の電圧値に極力近い電圧値を基準電圧値として設定し、ネックピン３３ａから出力された振動検出素子２の出力信号を検出する検出回路３と、この検出回路３からの検出信号の電圧値と前記基準電圧値とを比較し前記検出信号の電圧値が前記基準電圧値に達した時に音量・音質制御回路５に対して低音域の音量を下げるための低音音量制御信号を出力する比較回路４とを備えている。
【００２３】
音量・音質制御回路５は、Ｒ側（右側）スピーカ７への音声Ｒ信号を入力するための音声Ｒ信号入力端子５１、Ｌ側（左側）スピーカ８への音声Ｌ信号を入力するための音声Ｌ信号入力端子５２、音声出力の音量を制御する音量制御信号を入力するための音量制御端子５３、Ｒ側スピーカ７から出力される音量とＬ側スピーカ８から出力される音量とのバランスを制御するバランス制御信号を入力するためのバランス制御端子５４、低音音量を制御する低音音量制御信号を入力するための低音制御端子５５、音声出力の音質を制御するトレブル制御信号を入力するためのトレブル制御端子５６、比較回路４からの低音音量制御信号を入力するための低音制御端子５７、当該回路内部で設定された音量および音質の音声Ｒ信号を出力するための音声Ｒ出力端子５８、および当該回路内部で設定された音量および音質の音声Ｌ信号を出力するための音声Ｌ出力端子５９を有している。
【００２４】
なお、音量・音質制御回路５においては、比較回路４からの低音音量制御信号を受ける低音制御端子５７を設けているが、この低音制御端子５７を設けずに低音制御端子５５を用いても良い。低音制御端子５５を用いる場合は、この低音制御端子５５の前段にＯＲゲートを接続し、このＯＲゲートの一方の入力端子を比較回路４の出力端子に接続し、その他方の入力端子を受光回路９の低音制御出力端子に接続すれば良い。
【００２５】
音声出力回路６は、音量・音質制御回路５からの音声Ｒ信号および音声Ｌ信号を電力増幅してＲ側スピーカ７およびＬ側スピーカ８にそれぞれ供給する回路である。受光回路９は、リモコン（リモートコントローラ）１０からの操作を示す光信号を入力し、その光信号を光電変換して電気信号として音量・音質制御回路５へ出力する回路である。この受光回路９の各出力端子は、音量・音質制御回路５の音量制御端子５３とバランス制御端子５４と低音制御端子５５とトレブル制御端子５６とに接続され、これらの端子に関する制御を行うことができる。
【００２６】
ここで本実施形態の特徴とする動作について説明する。音量・音声制御回路５は、音声Ｒ信号入力端子５１および音声Ｌ信号入力端子５２に、音声Ｒ信号および音声Ｌ信号がそれぞれ供給されると、リモコン１０の操作により設定された音量および音質で音声Ｒ信号および音声Ｌ信号を音声出力回路６に出力する。音声出力回路６は、入力された音声Ｒ信号および音声Ｌ信号を電力増幅して、Ｒ側スピーカ７およびＬ側スピーカ８にそれぞれ出力する。これにより、Ｒ側スピーカ７およびＬ側スピーカ８からは、ユーザがリモコン１０を操作して設定した音量および音質の音声がそれぞれ出力される。
【００２７】
このようにスピーカ７，８から音声が出力されている状態において、音声出力によりブラウン管２０のシャドウマスク２３が振動した場合、振動検出素子２の出力信号は検出回路３で検出され、この検出信号は比較回路４に入力される。比較回路４では、検出回路３からの検出信号の電圧値が基準電圧値と比較され、検出信号の電圧値が基準電圧値に達した時に、低音音量制御信号が出力される。そして、その低音音量制御信号は低音制御端子５５を介して音量・音質制御回路５に入力され、これにより音量・音質制御回路５は音声出力の低音域の音量（低音）を下げる。
【００２８】
この結果、シャドウマスク２３の振動を抑制することができ、ブラウン管２０に表示される画像揺れを防止することができる。しかも、シャドウマスク２３が音声出力により振動して画像揺れが発生した時の振動検出素子２に基づく検出信号の電圧値よりも小さく且つ前記検出信号の電圧値に極力近い電圧値を前記基準電圧値として設定しているので、前記検出信号の電圧値が基準電圧値に達した時点では、シャドウマスク２３は振動しているが、ブラウン管２０の画像揺れが生じるまでの振動には達していないことにより、画像揺れが発生しようとする瞬間的な直前に、画像揺れを防止できる。また、前記検出信号の電圧値に極力近い電圧値を前記基準電圧値として設定していることにより、画像揺れが起きないシャドウマスク２３の振動に対しては低音は抑制されることはないので、音声出力の音量および音質が損なわれることがない。
【００２９】
したがって、この実施形態によれば、シャドウマスク２３の振動を直接取り出し、ブラウン管２０の画像揺れが発生する直前に低音を抑制するので、一瞬の画像揺れの発生も抑えることができ、これにより画像揺れの防止精度が向上する。
【００３０】
【発明の効果】
以上のように本発明によれば、ブラウン管を、該ブラウン管のシャドウマスクの所定箇所に振動検出素子を設けると共に、前記振動検出素子の端子をリード線を介して該ブラウン管の所定のネックピンに接続した構成とし、前記シャドウマスクが音声出力により振動して画像揺れが発生した時の前記振動検出素子に基づく検出信号の電圧値よりも小さく且つ前記検出信号の電圧値に極力近い電圧値を基準電圧値として設定し、前記ネックピンから出力された前記振動検出素子の出力信号を検出する検出手段と、この検出手段からの検出信号の電圧値と前記基準電圧値とを比較し前記検出信号の電圧値が前記基準電圧値に達した時に音量・音質制御回路に対して低音域の音量を下げるための低音音量制御信号を出力する比較手段とを有する画像揺れ防止装置を備えたので、シャドウマスクの振動を直接取り出し、ブラウン管の画像揺れが発生する直前に低音を抑制することができ、これにより、一瞬の画像揺れの発生も抑えることができ、したがって、画像揺れの防止精度が向上する。
【００３１】
また、本発明によれば、ブラウン管におけるシャドウマスクの所定箇所に振動検出素子を設け、前記振動検出素子の出力信号に基づく検出信号の電圧値が予め定めた基準電圧値に達した時に音声出力を下げる制御を行い、画像揺れを防止する画像揺れ防止装置を備えたので、シャドウマスクの振動を直接取り出し、ブラウン管の画像揺れが発生する直前に音声出力を抑制することが可能となり、これにより、一瞬の画像揺れの発生も抑えることができ、したがって、画像揺れの防止精度が向上する。
【図面の簡単な説明】
【図１】本発明の一実施形態に係るテレビジョン受像機に設けられた画像揺れ防止装置の構成を含むブロック図である。
【図２】本発明の一実施形態に係るテレビジョン受像機に備えられるブラウン管の概略構成図である。
【図３】前記ブラウン管に備えられているシャドウマスクの構成図である。
【図４】前記シャドウマスクの一部の拡大図である。
【符号の説明】
１    画像揺れ防止装置
２    振動検出素子
３    検出回路（検出手段）
４    比較回路（比較手段）
５    音量・音質制御回路
２０    ブラウン管
２３    シャドウマスク
３３ａ    ネックピン
３４    リード線
【図１】
2005012618.tif 000003
【図２】
2005012618.tif 000004
【図３】
2005012618.tif 000005
【図４】
2005012618.tif 000006